(57)【要約】  モバイル電話は、無線電話信号を受信および送信する電話機と、無線テレビ信号を受信する主テレビアンテナ（ＭＡＮ）、受信した無線テレビ信号を処理し、表示すべきテレビ信号を出力するように構成配置したテレビ受信機、および出力されたテレビ信号を表示する表示手段を具えているテレビ受像機と、を収納するケーシングを具えている。主テレビアンテナ（ＭＡＮ）は、プレーナ技術により作成し、ケーシング内部に内蔵し、無線電話信号の周波数付近で共振して、これら無線電話信号を少なくとも部分的に消去するように選定した寸法（Ｄ１，Ｄ２）を有するフィルタリングスロット（ＦＳ）を具えている。
2008522527.tif 000002
【特許請求の範囲】
【請求項１】
無線電話信号を受信および送信する電話機と、無線テレビ信号を受信する主テレビアンテナ、受信した無線テレビ信号を処理し、表示すべきテレビ信号を出力するように構成配置したテレビ受信機、および前記出力されたテレビ信号を表示する表示手段を具えているテレビ受像機と、を収納するケーシングを具えるモバイル電話において、前記主テレビアンテナは、プレーナ技術により作成され、前記ケーシング内部に内蔵され、前記無線電話信号の周波数付近で共振して、当該無線電話信号を少なくとも部分的に消去するように選定した寸法を有するフィルタリングスロットを具えていることを特徴とするモバイル電話。
【請求項２】
前記主テレビアンテナは、
−  プリント基板の表面に位置付けた接地面に対してほぼ平行で、かつ前記接地面から第１の選定距離の所における第１の平面内に据え付けた、Ｌ字形状を有する放射要素と、
−  i)互いにほぼ平行で、それぞれ前記テレビ受信機および前記接地面に接続され、前記接地面に対してほぼ平行に第２の選定距離にわたって延在する第１の部分と、ii)互いにほぼ平行で、前記第１の部分から前記接地面にほぼ垂直な方向に、前記第１の選定距離にわたって延在する第２の部分と、iii)ほぼ前記第１の平面において、前記第２の部分から延在し、それぞれ前記Ｌ字形状の放射要素の短い部分および長い部分の第１および第２の端部に接続され、互いにほぼ平行に前記Ｌ字形状の放射要素の長い部分まで延在する部分を有する第３の部分とを有する、給電および短絡平面ピンと、
−  前記給電ピンの前記第３の部分と前記Ｌ字形状の放射要素の短い部分および長い部分との間に規定される前記フィルタリングスロットと、
を具えている板状逆Ｆアンテナとすることを特徴とする、請求項１に記載のモバイル電話。
【請求項３】
前記主平面テレビアンテナは、前記第１および第２の選定距離に応じた帯域幅を有するようにしたことを特徴とする、請求項２に記載のモバイル電話。
【請求項４】
前記帯域幅は、前記第１および第２の選定距離の和にほぼ比例するようにしたことを特徴とする、請求項３に記載のモバイル電話。
【請求項５】
前記主平面テレビアンテナは単極タイプにしたことを特徴とする、請求項１に記載のモバイル電話。
【請求項６】
前記主平面テレビアンテナは、
−  プリント基板の表面に位置付けた接地面の狭い延長部に取り付けられ、i)前記テレビ受信機に接続される第１の部分の端部を有する第１および第２の平行な部分と、ii)第２の部分の端部から選定距離の所に位置する中間レベルにて、前記第１および第２の平行な部分の間にほぼ垂直に延在する短絡部分と、を具えるＵ字形状の導体と、
−  前記短絡部分と、前記第１および第２の部分の、それぞれの端部を有する部分との間に規定される前記フィルタリングスロットと、
を具えていることを特徴とする、請求項５に記載のモバイル電話。
【請求項７】
前記第２の部分を前記第１の部分より短くしたことを特徴とする、請求項６に記載のモバイル電話。
【請求項８】
前記Ｕ字形状の導体は、前記プリント基板の誘電体部分における電力損失を低減させるように配設した一連のビアに接続したことを特徴とする、請求項６または７に記載のモバイル電話。
【請求項９】
前記テレビ受信機に接続した補助テレビアンテナを具えて、受信した無線テレビ信号を前記テレビ受信機に送信するようにしたことを特徴とする、請求項１〜８のいずれか一項に記載のモバイル電話。
【請求項１０】
前記補助テレビアンテナは、使用しない時には前記ケーシング内部に収納するよう適合させた格納式ホイップアンテナとしたことを特徴とする、請求項９に記載のモバイル電話。
【請求項１１】
前記補助テレビアンテナは、プラグ着脱可能なイヤホンワイヤ内に位置付けることを特徴とする、請求項９に記載のモバイル電話。
【請求項１２】
前記主平面テレビアンテナおよび／または前記補助テレビアンテナによって受信した周波数帯域の少なくとも１つ以上の選定サブ帯域を切り替える、少なくとも１つの整合回路網を有するスイッチング回路を具えることを特徴とする、請求項１〜１１のいずれか一項に記載のモバイル電話。
【請求項１３】
前記スイッチング回路は、３つ以上のサブ帯域を、それぞれの状態に応じて切り替えるように適合させ、アンテナ周波数を前記サブ帯域の１つの中心周波数に同調させるためのインダクタおよびキャパシタと組み合わせた、単極単投タイプのスイッチを共に有している、少なくとも３つの整合回路網を具えることを特徴とする、請求項１２に記載のモバイル電話。
【請求項１４】
前記スイッチは、ＰＩＮダイオード、ＧａＡｓＦＥＴおよびＭＥＭＳデバイスを含むグループから選定したことを特徴とする、請求項１３に記載のモバイル電話。
【請求項１５】
前記スイッチの各々を、バラクタダイオードと組み合わせたことを特徴とする、請求項１３または１４に記載のモバイル電話。
【請求項１６】
前記ケーシングは、第１および第２の部分を具え、片方がもう一方に接続され、折り畳み式構体またはフリップ式構体を規定し、前記第１のケーシング部はキーパッドを収納し、前記第２のケーシング部は前記表示手段を収納することを特徴とする、請求項１〜１５のいずれか一項に記載のモバイル電話。
【請求項１７】
前記第２のケーシング部は前記主テレビアンテナを収納することを特徴とする、請求項１６に記載のモバイル電話。
【請求項１８】
前記第１のケーシング部は前記主テレビアンテナを収納することを特徴とする、請求項１６に記載のモバイル電話。
【請求項１９】
請求項１〜１８に記載のモバイル電話としてのいかなるデバイスにも適するアンテナ。
【発明の詳細な説明】
【技術分野】
【０００１】
本発明は、モバイル電話のような通信装置の分野に関し、特に、テレビ画像を表示するように適合させたモバイル電話に関する。
【背景技術】
【０００２】
モバイル電話には、無線電話信号を受信および送信する電話機だけでなく、無線テレビ信号を受信するテレビ受像機も具えたものがある。このようなテレビ受像機は、通常、無線テレビ信号を受信する主テレビアンテナと、これらの受信した無線テレビ信号を処理し、表示すべきテレビ信号を出力するように構成したテレビ受信機と、これらの出力されたテレビ信号を表示する表示手段と、を具えている。
【０００３】
モバイルテレビの帯域は約４７０ＭＨｚ〜７１４ＭＨｚ（５９２ＭＨｚを中心とする４１％の帯域幅を有する）にわたり、帯域の中心周波数における半波長はほぼ２５ｃｍに等しく、これは、「折り畳み式」または「フリップ式」のモバイル電話のケーシングを開いて内側のスクリーンまたはキーパッドが見えるようにした時のサイズと同程度である。
【０００４】
したがって、主テレビアンテナは、一般に、電話ケーシング内部に収納される格納可能な剛体または伸縮式の要素を具えており、これは、信号を受信できるようにするためにケーシングから引き出して「広げ」て、１／４波長信号にほぼ等しい長さに伸ばすようにする。
【０００５】
このような構成では、無線テレビ信号の受信品質は、主テレビアンテナを正しく「広げ」て方向付けるユーザの手腕にかなり依存する。
【０００６】
さらに、このアンテナを広げると、それによりモバイル電話のかさ高性が増し、デザインが美的でなくなるおそれがある。
【０００７】
このような状況を改善するために、電話ケーシングの内部に内蔵される主テレビアンテナを使用することが提案されている。特に、モバイルテレビの帯域の信号を受信できるようにするために、モバイル電話のプリント基板（ＰＣＢ）に取り付けた板状逆Ｆアンテナ（ＰＩＦＡ）を使用することが提案されている。このような構成は、特にＵＳ２００１／００５０６４３に記載されている。
【発明の開示】
【発明が解決しようとする課題】
【０００８】
このアンテナは、モバイルテレビの帯域内の信号を有効に受信することができるが、その帯域幅は、通常、（モバイル電話に許容されるアンテナ高に対して）テレビの帯域にわたる信号を受信するには狭すぎる。さらに、このようなアンテナは無線電話信号を消去するようには構成されていないため、テレビ信号と無線電話信号との間で干渉が発生し、そのため表示テレビ画像の品質が低下するおそれがある。
【０００９】
したがって、本発明の目的は、このような状況を改善することにある。
【課題を解決するための手段】
【００１０】
この目的のために、本発明は、無線電話信号を受信および送信する電話機と、無線テレビ信号を受信する主テレビアンテナ、これらの受信した無線テレビ信号を処理し、表示すべきテレビ信号を出力するように構成配置したテレビ受信機、およびこれらの出力されたテレビ信号を表示する表示手段を具えるテレビ受像機と、を収納するケーシングを具えているモバイル電話を提供する。
【００１１】
このモバイル電話は、主テレビアンテナが、プレーナ技術によって作成され、ケーシング内部に内蔵され、少なくとも部分的にＧＳＭ信号を消去するように無線電話信号の周波数付近（またはほぼその周波数）で共振する寸法に選択したフィルタリングスロットを具えることを特徴とする。
【００１２】
このようなフィルタリングスロットは高いＱ値のフィルタとして作用し、本発明のアンテナは無線電話信号を有効に消去することができる。
【００１３】
少なくとも２つの異なるタイプの平面アンテナを想定することができる。
【００１４】
第１タイプのものは、
−  （プリント基板の表面に位置付けられる）接地面に対してほぼ平行で、かつこの接地面から第１の選定距離の所における第１の平面内に据え付けたＬ字形状の放射要素と、
−  給電および短絡平面ピンであって、
i)  互いにほぼ平行で、それぞれテレビ受信機および接地面に接続され、第２の選定距離にわたってこの接地面に対してほぼ平行に延在するようにした第１の部分と、
ii)  互いにほぼ平行で、接地面にほぼ垂直な方向に、第１の選定距離にわたって第１の部分から延在する第２の部分と、
iii)  ほぼ第１の平面において第２の部分から延在し、Ｌ字形状の放射要素の、短い部分および長い部分の第１の端部および第２の端部にそれぞれ接続し、互いにほぼ平行にＬ字形状の放射要素の長い部分まで延在する部分を有する第３の部分と、を有するピンと、
−  給電ピンの第３の部分と、Ｌ字形状の放射要素の短い部分および長い部分との間に規定されるフィルタリングスロットと、
を有している、変更したＰＩＦＡアンテナを具えている。
【００１５】
この主平面アンテナは、第１および第２の選定距離に依存する帯域幅を有するようにできる。例えば、その帯域幅は、第１および第２の選定距離の和にほぼ比例するようにしてもよい。
【００１６】
第２タイプのものは、例えば、
−  プリント基板の面に位置付けた接地面の上方に取り付けた、
i)  テレビ受信機に接続される第１の部分の端部を有する、第１および第２の平行な部分と、
ii)  第２の部分の端部から選定距離の所に位置する中間レベルにて、第１および第２の平行な部分の間にほぼ垂直に延在する短絡部分と、
を具えるＵ字形状の導体と、
−  短絡部分と、第１および第２の部分の、それぞれ端部を有する部分との間に規定されるフィルタリングスロットと、
を有する、単極アンテナを具えている。
【００１７】
Ｕ字形状の導体の第２の部分は、その第１の部分よりも短くすることができる。
【００１８】
さらに、Ｕ字形状の導体は、プリント基板の誘電体部分における電力損失を低減させるように配設した一連のビアに接続することができる。
【００１９】
本発明によるモバイル電話は、以下の追加の特徴を、別個にまたは組み合わせて考慮するようにできる。すなわち、
−  補助テレビアンテナをテレビ受信機に接続し、これに受信した無線テレビ信号を供給するようにできる。
この補助テレビアンテナは、使用しない時にはケーシング内部に収納するように適合させた格納式のホイップアンテナとすることができ、またはプラグ着脱可能なイヤホンワイヤ内に位置付けることもできる。
−  ケーシングは、互いに接続して、「折り畳み式」構体または「フリップ式」構体を規定する、第１および第２の部分を具え、第１のケーシング部はキーパッドを収納し、第２のケーシング部は表示手段を収納するようにできる。
主テレビアンテナは、第１または第２のケーシング部に収納するようにできる。
−  スイッチング回路は、主平面テレビアンテナおよび／または補助テレビアンテナによって受信した、少なくとも１つの選定サブ帯域を切り替える、少なくとも１つの整合回路網を具えるようにできる。
スイッチング回路は、単極単投（ＳＰＳＴ）タイプのスイッチを共に具える少なくとも３つの整合回路網を具え、３つのサブ帯域を、それぞれの状態に応じて切り替えるように適合させ、アンテナ周波数をこれらサブ帯域のうちの１つの中心周波数に同調させるために選定したインダクタおよびキャパシタと組み合わせるようにできる。これらのスイッチは、例えば、ＰＩＮダイオード、ＧａＡｓＦＥＴまたはＭＥＭＳデバイスとすることができる。さらに、各スイッチは、バラクタダイオードと組み合わせることもできる。
【００２０】
以下、本発明の他の特徴および利点を、添付の図面を参照して詳細に説明する。
【００２１】
添付の図面は本発明を達成するのに役立つのみならず、必要に応じて本発明を定義付けるのにも寄与するものである。
【発明を実施するための最良の形態】
【００２２】
まず、図１および図２を参照して、本発明の実施形態の第１の例による内蔵型平面アンテナＭＡＮを具えるモバイル電話ＵＥにつき説明する。
【００２３】
以下の説明では、モバイル電話は、ＧＳＭネットワークの無線通信に適合した、より正確にいえば、ＧＳＭネットワークの基地局（ＢＴＳ）へ、およびこれからデータパケットを送信および受信するように構成した、ＧＳＭ電話とする。しかしながら、本発明は、このタイプのモバイル電話に限定されないことに留意すべきである。実際上、本発明は、任意のタイプの（セルラー式）無線通信ネットワーク、特に、例えばＡＭＰＳ、ＣＤＭＡおよびＵＭＴＳのような無線通信に適合した、任意のタイプのモバイル電話に関するものである。
【００２４】
さらに、本願において、「モバイル電話」とは、無線電話信号を交換（送信／受信）し、かつ無線テレビ信号を受信するように適合させた、任意タイプの通信機器を意味するものとする。
【００２５】
本発明は、主に、モバイル電話のテレビアンテナ、および、場合によってはそのテレビ受信機に関する。したがって、以下、本発明に関連せず、かつ当業者にとって既知であると思われるモバイル電話のコンポーネントについては、説明を省略する。
【００２６】
図１に示すように、本発明によるＧＳＭ電話ＵＥは、キーパッドＫＰと、バッテリＢと、無線電話信号（以下「ＧＳＭ信号」と称する）を受信および送信する電話受信機Ｒ１とともに構成した電話アンテナ（図示せず）を具える電話機と、無線テレビ信号（以下「テレビ信号」と称する）を受信する主テレビアンテナＭＡＮ、および例えばＬＣＤスクリーンＬＳのような表示手段によって表示するために、受信したテレビ信号を処理するように構成したテレビ受信機Ｒ２を少なくとも有するテレビ受像機と、を具えている。
【００２７】
これら全てのＧＳＭ電話コンポーネントは、少なくとも部分的に、ケーシングＣ１，Ｃ２内部に収納されるようにする。例えば図１に示すように、ケーシングは、第１の部分Ｃ１と第２の部分Ｃ２を有し、これらは互いに接続して、内側スクリーンＬＳおよび／またはキーパッドＫＰを見せるように開く必要があるいわゆる「折り畳み」または「フリップ」式の構体を規定する。しかしながら、本発明は、１つのケーシングにも適用できる。
【００２８】
図示した例では、キーパッドＫＰ、電話受信機Ｒ１およびバッテリＢは第１のケーシング部Ｃ１に収納され、また、スクリーンＬＳ、テレビ受信機Ｒ２および主テレビアンテナＭＡＮは第２のケーシング部Ｃ２に収納される。なお、テレビ受信機Ｒ２および／または主テレビアンテナＭＡＮは、第１の部分Ｃ１に収納されるようにしてもよい。
【００２９】
図１に示すように、ＧＳＭ電話ＵＥには、テレビ受信機Ｒ２に接続される補助のテレビアンテナＡＡＮを設けて、ＧＳＭ信号の受信を高めるようにもできる。このような補助テレビアンテナＡＡＮは、図示のような格納式のホイップアンテナとすることができるが、プラグ着脱可能なイヤホンワイヤの内部に位置付けることもできる。
【００３０】
テレビ受信機Ｒ２および主テレビアンテナＭＡＮは、表面の少なくとも一部に接地面を規定する金属層を設けたプリント基板ＰＣＢに取り付ける。
【００３１】
本発明によれば、主テレビアンテナＭＡＮをプレーナ技術によって形成して、ケーシング内部に（本例では第２のケーシング部Ｃ２に）組み込み、フィルタリングスロットＦＳ（図２）を具えるようにする。このフィルタリングスロットＦＳの寸法は、ＧＳＭ信号の周波数付近（またはほぼその周波数）で共振して、これらの信号を少なくとも部分的に、好適には完全に、消去するように選定してある。すなわち、フィルタリングスロットＦＳは、ＧＳＭ信号を消去するように適合させた、高いＱ値（Ｑ）のフィルタとして作用する。通常、このフィルタリングスロットは、アンテナインピーダンスをＧＳＭの中心周波数にて開放させるように配置する。しかしながら、アンテナインピーダンスをある値にして、テレビ受信機の低雑音増幅器からの利得を最小にすることもできる。
【００３２】
以下詳細に説明するように、本発明による平面アンテナＭＡＮは、例えば図１および図２に示すように変形した板状逆Ｆアンテナ（ＰＩＦＡ）とすることも、または、例えば図４および図５に示すような単極アンテナとすることもできる。
【００３３】
図２に示すように、本発明による変形した主ＰＩＦＡアンテナＭＡＮは、放射要素ＲＥ１，ＲＥ２を具え、これはＬ字形状を有し、かつプリント基板ＰＣＢの表面に取り付けた接地面ＧＰに対向するとともに平行な第１の平面内に位置付ける。この放射要素ＲＥ１，ＲＥ２は、接地面ＧＰから第１の選定距離Ｈ１の所に位置付ける。この第１の距離Ｈ１は、主ＰＩＦＡアンテナＭＡＮの帯域幅を少なくとも部分的に制御するように選定する。
【００３４】
Ｌ字形状の放射要素の短い部分および長い部分には、それぞれＲＥ１およびＲＥ２の参照符号を付してある。
【００３５】
主ＰＩＦＡアンテナＭＡＮは、給電平面ピンＰ１Ｆ〜Ｐ３Ｆ（ＰＦ）および短絡平面ピンＰ１Ｓ〜Ｐ３Ｓ（ＰＳ）も具えている。
【００３６】
給電（平面）ピン（ＰＦ）は、プリント基板ＰＣＢに設けた専用の集積回路（図示せず）を経てテレビ受信機Ｒ２（図１）に接続される、第１の部分Ｐ１Ｆを具えている。この第１の部分Ｐ１Ｆは、第２の選定距離Ｈ２にわたって、接地面ＧＰの平面にほぼ沿って延在する。
【００３７】
この第２の距離Ｈ２もまた、主ＰＩＦＡアンテナＭＡＮの帯域幅を少なくとも部分的に制御するように選定する。実際上、本実施形態では、帯域幅は、第１の選定距離Ｈ１と第２の選定距離Ｈ２との和にほぼ比例する。
【００３８】
短絡（平面）ピン（ＰＳ）は、接地面ＧＰに接続される第１の部分Ｐ１Ｓを具えている。この第１の部分Ｐ１Ｓもまた、第２の選定距離Ｈ２にわたって、かつ給電ピンの第１の部分Ｐ１Ｆに対してほぼ平行に、この部分から選定距離Ｄ３で、接地面ＧＰの平面にほぼ沿って延在する。
【００３９】
給電ピンはさらに、接地面ＧＰに垂直な方向に、第１の部分Ｐ１Ｆから第１の選定距離Ｈ１にわたって延在する第２の部分Ｐ２Ｆを具えている。
【００４０】
短絡ピンはさらに、接地面ＧＰにほぼ垂直な方向に、第１の部分Ｐ１Ｓから第１の選定距離Ｈ１にわたって延在する第２の部分Ｐ２Ｓも具えている。この第２の部分Ｐ２Ｓは、給電ピンの第２の部分Ｐ２Ｆに対してほぼ平行に、この部分から選定距離Ｄ３離間して延在する。
【００４１】
給電ピンはさらに、第２の部分Ｐ２Ｆから（放射要素ＲＥ１、ＲＥ２が位置付けられる）第１の平面にほぼ延在して、Ｌ字形状の放射要素の短い部分ＲＥ１の第１の端部Ｅ１に接続される、第３の部分Ｐ３Ｆも具えている。この第３の部分Ｐ３Ｆは、放射要素の長い部分ＲＥ２の辺に対してほぼ平行に沿う部分を具えている。
【００４２】
短絡ピンはさらに、その第２の部分Ｐ２Ｓからほぼ第１の平面内に延在して、Ｌ字形状の放射要素の長い部分ＲＥ２の第２の端部Ｅ２に接続される、第３の部分Ｐ３Ｓも具えている。この第２の端部Ｅ２に達するように、第３の部分Ｐ３Ｓは、給電ピンの第３の部分Ｐ３Ｆの一部に沿って（ＲＥ２に対して平行に）延在し、しかも、選定距離Ｄ３で、放射要素の短い部分ＲＥ１および長い部分ＲＥ２に沿うように延在する。
【００４３】
このような構成では、フィルタリングスロットＦＳは、給電ピンの第３の部分Ｐ３Ｆの（ＲＥ２に平行な）一部と、Ｌ字形状の放射要素の短い部分ＲＥ１および長い部分ＲＥ２との間に規定される。したがって、本例では、フィルタリングスロットＦＳの形状は、ほぼ長方形になる。しかしながら、他の形状を想定することもできる。
【００４４】
フィルタリングスロットＦＳの寸法Ｄ１およびＤ２は、放射要素ＲＥ１，ＲＥ２のＬ字形状によって規定される。これらの寸法は重要である。大きい方の寸法Ｄ１は、主に、正しい共振周波数を設定し、その際９００ＭＨｚの領域におけるＧＳＭ信号をろ波（消去）するように選定することができる。小さい方の寸法Ｄ２は、主にインピーダンス整合のために用いることができる。
【００４５】
このような構成とすることによって、プリント基板ＰＣＢとの結合を良好にし、したがって（ロープロファイル設計から）広帯域のインピーダンスにすることができる。
【００４６】
主アンテナＭＡＮが、テレビ信号を少なくとも３つのサブ帯域で受信するのに充分な帯域幅を有するようにするために、以下の値を使用することができる。
−  長方形のプリント基板ＰＣＢは、ほぼ４０ｍｍ×２００ｍｍ×１ｍｍとし、ＦＲ４材料（誘電体の誘電率はほぼ４．２、消失正接はほぼ０．０１４）で形成し、
−  第１の選定距離Ｈ１はほぼ５ｍｍに等しくし、
−  第２の選定距離Ｈ２はほぼ９ｍｍに等しくし、
−  第１の選定寸法Ｄ１はほぼ２０ｍｍに等しくし、
−  第２の選定寸法Ｄ２はほぼ８ｍｍに等しくし、
−  選定寸法Ｄ３はほぼ１ｍｍに等しくし、
−  給電および短絡ピンの、第１の部分Ｐ１Ｆ，Ｐ１Ｓ、第２の部分Ｐ２Ｆ，Ｐ２Ｓ、第３の部分Ｐ３Ｆ，Ｐ３Ｓ部分の幅Ｗ（図２）は、ほぼ１ｍｍに等しくし、
−  短絡ピンの第３の部分Ｐ３Ｓの、放射要素の短い部分ＲＥ１の辺に対して平行な部分の長さＬ１はほぼ２８ｍｍに等しくし、
−  短絡ピンの第３の部分Ｐ３Ｓの、放射要素の長い部分ＲＥ２の辺に対して平行な部分の長さＬ２はほぼ４０ｍｍに等しくする。
【００４７】
あるサブ帯域から他のサブ帯域に切り替えるために、テレビ受信機Ｒ２は、例えば図３に示すようなスイッチング回路ＳＣを具えるようにすることができる。
【００４８】
このスイッチング回路ＳＣは、充分な帯域幅を有するアンテナを全帯域内の少数のサブ帯域に整合させるように適合させる。このようなアンテナは、例えば、折り畳み式電話ＵＥ（図１）の頂部または底部近くに据え付けるアンテナＭＡＮに対応する。
【００４９】
図示した例では、３つの整合回路網の１つを、例えば、ＰＩＮダイオード、ＧａＡｓＦＥＴまたはＭＥＭＳデバイス（“Micro ElectroMechanical Systems”）とすることができる簡単な単極単投（ＳＰＳＴ）スイッチＳ１〜Ｓ４により切り替えるようにする。
【００５０】
最低のサブ周波数帯域では、ＳＰＳＴスイッチＳ２が開放している間、ＳＰＳＴスイッチＳ１、Ｓ３およびＳ４は閉成するようにする。インダクタＬ１およびＬ２は、アンテナ共振周波数を最低のサブ帯域に同調させる。この時点では、アンテナＭＡＮは、主に直列共振する。２つ結合させたマイクロストリップラインＣＬ１およびＣＬ２は、図示しない分路インダクタと相俟って、インピーダンス変成器として作用する。この分路インダクタは、この例では並列に取り付けた３つのキャパシタＣ２、Ｃ３およびＣ４の組合せから成る分路キャパシタによってチューンアウト（tune out）される。これは、アンテナＭＡＮを複同調し、したがって帯域幅を増大させる効果を有する。
【００５１】
第２のサブ帯域では、ＳＰＳＴスイッチＳ１およびＳ４が開放している間、ＳＰＳＴスイッチＳ２およびＳ３は閉成するようにする。
【００５２】
第３の、最高周波数のサブ帯域では、ＳＰＳＴスイッチＳ１、Ｓ３およびＳ４が開放している間、ＳＰＳＴスイッチＳ２は閉成するようにする。ＳＰＳＴスイッチＳ１が開放すると、キャパシタＣ１は、アンテナＭＡＮを高めの周波数に同調させる。
【００５３】
これらのＳＰＳＴスイッチは、Ｑ値（Ｑ）が５にほぼ等しい、１Ωのオン抵抗および０．４ｐＦのオフキャパシタンスを有するようにできる。
【００５４】
ＤＶＢ−Ｈの帯域にわたって、６０％以上の効率を達成することができる。アンテナＭＡＮの（ＰＣＢに対して平行で、しかも垂直の）実効高を増大させ、かつ例えばＭＥＭＳデバイスを使用して切り替え損失を改善することによって、一層高い効率を達成することができる。
【００５５】
他の回路を用いて、多数のサブ帯域にわたって切り替えることによって、ＴＶ帯域をカバーすることもできる。すなわち、スイッチング回路における整合回路網の数は、選定ＴＶ帯域をカバーするのに必要なサブ帯域の数に依存する。
【００５６】
さらに、バラクタダイオードを用いて、帯域全体にわたって連続的に同調させることもできる。各スイッチは、バラクタダイオードと組み合わせることもできる。
【００５７】
次に、図４および図５を参照して、本発明による主単極アンテナＭＡＮの実施形態の一例を説明する。
【００５８】
図示した主単極アンテナＭＡＮは、プリント基板ＰＣＢの上方に取り付けられて接地面ＧＰを成すＵ字形状の導体ＭＬを具えている。より正確には、プリント基板ＰＣＢは、上部にＵ字形状の導体ＭＬを取り付けた狭い延長部ＰＣＢＥを有する長方形の主要部を具えている。
【００５９】
この導体ＭＬは４つの部分Ｐ１〜Ｐ４を具えている。
【００６０】
第１の部分Ｐ１および第２の部分Ｐ２は、Ｕ字形状の２つの平行な枝部を規定している。第１の部分Ｐ１は、プリント基板ＰＣＢの長方形の主要部に設けた専用のＩＣ（図示せず）を経てテレビ受信機Ｒ２に接続される端部Ｅ３を具えている。第２の部分Ｐ２は、接地面ＧＰに接続されない端部Ｅ４を具えている。
【００６１】
Ｕ字形状の導体ＭＬの第１の部分Ｐ１は、単極アンテナＭＡＮの全長Ｌ３にわたって延在する。
【００６２】
Ｕ字形状の導体ＭＬの第２の部分Ｐ２は、第１の部分Ｐ１よりも短くして、端部Ｅ４が接地面から切り離される（すなわち最小のキャパシタンスになる）程度に充分離間されるようにするのが好適である。この長さの差を、図５ではＬ４にて示してある。
【００６３】
第３の部分Ｐ３は、Ｕ字形状の垂直枝部を規定している。この部分は、第１および第２の平行な部分Ｐ１およびＰ２の、それぞれの端部Ｅ３およびＥ４とは反対側の端部間に垂直に延在する。
【００６４】
第４の部分Ｐ４は、第２の部分の端部Ｅ４から第１の選定距離Ｄ１の所に位置する中間レベルにて、第１および第２の平行部分Ｐ１，Ｐ２間に垂直に延在する短絡部分である。
【００６５】
このような構成では、フィルタリングスロットＦＳは、短絡部分Ｐ４と、Ｕ字形状の導体ＭＬの第１の部分Ｐ１および第２の部分Ｐ２の、端部Ｅ３およびＥ４を具える部分ＰＰ１およびＰＰ２との間に規定されるようにする。したがって、本例では、フィルタリングスロットＦＳの形状は、ほぼ長方形になる。しかしながら、他の形状を想定することもできる。
【００６６】
短絡部分Ｐ４の場所である中間レベル（第１の距離Ｄ１）の位置は、主に、正しい共振周波数を設定し、その際９００ＭＨｚの領域内のＧＳＭ信号をろ波（消去）するように選定できる。フィルタリングスロットＦＳの第２の距離Ｄ２は、Ｕ字形状の導体ＭＬの第１の部分Ｐ１と第２の部分Ｐ２との間に規定され、主にインピーダンス整合のために用いることができる。
【００６７】
Ｕ字形状の導体ＭＬを誘電性支持体のいずれかの側に形成する際に、その４つの部分Ｐ１〜Ｐ４にわたって一連のビアＶを分布させて、プリント基板ＰＣＢの誘電体部分の電力損失を低減させるのが好適である。あるいは、Ｕ字形状の導体ＭＬを規定する導体を、（間隔（すなわち第２の距離）Ｄ２を維持する）最小の支持誘電体材料と共に固体金属から形成するようにする。
【００６８】
これらのビアは、プリント基板ＰＣＢを貫通して、その面の１つに設けたＵ字形状の導体ＭＬに通じ、かつ反対の面に設けた対応する金属化した線に通じる、金属化ホールである。
【００６９】
主単極アンテナＭＡＮは、テレビ信号を受信するのに充分な帯域幅を有するようにするために、以下の値を用いることができる。
−  プリント基板ＰＣＢは、長方形の主要部をほぼ４０ｍｍ×１００ｍｍ×１ｍｍとし、狭い延長部ＰＣＢＥをほぼ３ｍｍ×１００ｍｍ×１ｍｍとし、ＦＲ４材料で形成し、
−  第１の選定寸法Ｄ１はほぼ５９ｍｍに等しくし、
−  第２の選定寸法Ｄ２はほぼ１ｍｍに等しくし、
−  長さ差Ｌ４はほぼ３ｍｍに等くし、
−  Ｕ字形状の導体ＭＬの第１の部分Ｐ１、第２の部分Ｐ２、第３の部分Ｐ３および第４の部分Ｐ４の幅Ｗは、ほぼ１ｍｍに等しくする。
【００７０】
図３に示したスイッチング回路ＳＣは、単極アンテナＭＡＮと共に用いて、あるサブ帯域から他のサブ帯域に切り替えるようにすることもできる。
【００７１】
本発明は、単なる実施形態としての、上述したモバイル電話の実施形態に限定されるものではなく、例えば、請求の範囲内で当業者が想到することができる、必ずしも平面アンテナに適用しない任意の通信デバイスのような、全ての変更例を含むものである。
【００７２】
本発明は、上述したようなアンテナにも関する。
【図面の簡単な説明】
【００７３】
【図１】本発明の実施形態の第１の例による内蔵型平面アンテナを具える折り畳み式モバイル電話の例を示す概略図である。
【図２】図１の実施形態の第１の例の内蔵型平面アンテナを詳細に示す図である。
【図３】本発明による内蔵型平面アンテナが受信する無線テレビ信号を処理するように適合させた、テレビ受信機用スイッチング回路の例を示す概略図である。
【図４】本発明の実施形態の第２の例による内蔵型平面アンテナを示す概略図である。
【図５】図４の実施形態の第２の例の内蔵型平面アンテナを詳細に示す図である。
【図１】
2008522527.tif 000003
【図２】
2008522527.tif 000004
【図３】
2008522527.tif 000005
【図４】
2008522527.tif 000006
【図５】
2008522527.tif 000007
【国際調査報告】
2008522527.tif 000008
2008522527.tif 000009